(57)【要約】【課題】記録媒体搭載機器の動作温度環境を時間で管理可能とすると共に、記録媒体が確実に動作する環境を短時間で得られるようにする。【解決手段】機器内の温度を温度センサ３１で計測すると共に、計測結果と予約録画開始時刻とに基づき、予約録画開始時刻にＨＤＤ１８を最適温度で動作させるためのアイドリング開始タイミングを算出して、ＣＰＵ１９によってメイン電源回路２７をオンさせてアイドリングを行なわせる。また、機器内の温度を温度センサ３１で監視して適正温度にない場合には、アイドリングによって温度を上昇させて、適正温度になったら機器をハードリセットしてからＨＤＤ１８を起動する。【選択図】　　　図１
2004005812.tif 000002
【特許請求の範囲】
【請求項１】
放送信号を受信して記録媒体に記録する記録手段と、前記放送信号の所定の番組を前記記録媒体に記録するための録画予約を行なう録画予約手段とを備えた機器における前記記録媒体の起動を制御する制御装置において、前記機器内の温度を検出する温度検出手段と、
前記機器内に設けられた発熱手段と、
前記録画予約された番組の放送開始時刻と前記温度検出手段で検出された温度情報に基づいて、前記放送開始時刻に前記記録媒体が正常に動作する温度環境を確保するために前記発熱手段を動作させる制御手段と、
を具備したことを特徴とする記録媒体搭載機器の起動制御装置。
【請求項２】
デジタル放送信号を受信して記録媒体に記録する記録手段と、前記放送信号の所定の番組を前記記録媒体に記録するための録画予約を行なう録画予約手段とを備えた機器の前記記録媒体の起動を制御する装置であって、
前記デジタル放送に多重伝送される地域情報から地域気温データを取得する手段と、
前記機器内の温度を検出する温度検出手段と、
前記機器内に設けられた発熱手段と、
前記録画予約された番組の放送開始時刻と前記取得された地域気温データに基づいて、前記放送開始時刻に前記記録媒体が正常に動作する温度環境を確保するように前記発熱手段の動作を制御する制御手段と、
を具備したことを特徴とする記録媒体搭載機器の起動制御装置。
【請求項３】
記録媒体搭載機器の起動制御装置において、
前記機器内部の温度を検出する温度手段と、
前記機器内部に設けられた発熱手段と、
前記温度検出手段によって検出された温度が前記記録媒体の動作に適正な温度であるか否か判別する手段と、
前記判別の結果、適正な温度でない場合に、前記発熱手段を駆動して前記機器内部の温度を上昇させると共に、前記判別手段によって前記記録媒体の動作に適した温度になったことが判別された際に前記記録媒体を含む機器内部回路をリセットしてから再立ち上げを行なう制御手段と、
を具備したことを特徴とする記録媒体搭載機器の起動制御装置。
【請求項４】
記録媒体搭載機器の起動制御装置において、
前記機器内部の温度を検出する温度手段と、
前記機器内部に設けられた発熱手段と、
前記温度検出手段によって検出された温度が前記記録媒体の動作に適正な温度であるか否か判別する手段と、
前記判別の結果、適正な温度でない場合に、前記発熱手段を駆動して前記機器内部の温度を上昇させると共に、前記判別手段によって前記記録媒体の動作に適した温度になったことが判別された際に前記記録媒体を起動する制御手段と、
を具備したことを特徴とする記録媒体搭載機器の起動制御装置。
【請求項５】
前記発熱手段は、前記機器に設けられた回路部品であることを特徴とする請求項１乃至４のいずれかに記載の記録媒体搭載機器の起動制御装置。
【請求項６】
放送信号を受信して記録媒体に記録する記録手段と、前記放送信号の所定の番組を前記記録媒体に記録するための録画予約を行なう録画予約手段とを備えた機器における前記記録媒体の起動を制御する制御方法において、前記機器内の温度を検出するステップと、
前記録画予約された番組の放送開始時刻と前記温度検出手段で検出された温度情報に基づいて、前記放送開始時刻に前記記録媒体が正常に動作する温度環境を確保するように前記発熱手段を動作させるステップと、
を具備したことを特徴とする記録媒体搭載機器の起動制御方法。
【請求項７】
デジタル放送信号を受信して記録媒体に記録する記録手段と、前記放送信号の所定の番組を前記記録媒体に記録するための録画予約を行なう録画予約手段とを備えた機器の前記記録媒体の起動を制御する方法であって、
前記デジタル放送に多重伝送される地域情報から地域気温データを取得するステップと、
前記機器内の温度を検出するステップと、
前記録画予約された番組の放送開始時刻と前記取得された地域気温データに基づいて、前記放送開始時刻に前記記録媒体が正常に動作する温度環境を確保するように前記発熱手段を動作させるステップと、
を具備したことを特徴とする記録媒体搭載機器の起動制御方法。
【請求項８】
記録媒体搭載機器の起動制御方法において、
前記機器内部の温度を検出するステップと、
前記温度検出手段によって検出された温度が前記記録媒体を動作させるに適正な温度であるか否か判別するステップと、
前記判別の結果、適正な温度でない場合に、前記機器内に設けられた発熱手段を駆動して前記機器内部の温度を上昇させると共に、前記記録媒体の動作に適した温度になったことが判別された際に前記記録媒体を含む機器内部回路をリセットしてから再立ち上げを行なうステップと、
を具備したことを特徴とする記録媒体搭載機器の起動制御方法。
【請求項９】
記録媒体搭載機器の起動制御方法において、
前記機器内部の温度を検出するステップと、
前記検出された温度が前記記録媒体を動作させるに適正な温度であるか否か判別するステップと、
前記判別の結果、適正な温度でない場合に、前記機器内に設けられた発熱手段を駆動して前記機器内部の温度を上昇させると共に、前記記録媒体の動作に適した温度になったことが判別された際に前記記録媒体を起動するステップと、
を具備したことを特徴とする記録媒体搭載機器の起動制御方法。
【発明の詳細な説明】
【０００１】
【発明の属する技術分野】
本発明は、ＨＤＤあるいはＤＶＤ−ＲＡＭ等を記録媒体として搭載したテレビジョン受像機等の機器において、電源投入時等の機器の立ち上げ時に、記録媒体を良好に起動させることができるようにした記録媒体搭載機器の起動制御装置及び制御方法に関する。
【０００２】
【従来の技術】
従来、テレビジョン放送番組を記録する家庭用の機器としては、ＶＴＲ（Ｖｉｄｅｏ　Ｔａｐｅ　Ｒｅｃｏｒｄｅｒ）が広く一般に使われてきたが、昨今では、放送のデジタル化も推進されつつあることから、記録媒体としてハードディスクドライブ（ＨＤＤ：Ｈａｒｄ　Ｄｉｓｃ　Ｄｒｉｖｅ）あるいはＤＶＤ−ＲＡＭ（Ｄｉｇｉｔａｌ　Ｖｅｒｓａｔｉｌｅ　Ｄｉｓｃ−ＲａｎｄｏｍＡｃｃｅｓｓ　Ｍｅｍｏｒｙ）等のランダムアクセス可能なものを適用した記録機器が使われるようなった。
【０００３】
ＨＤＤを記録媒体として使用した場合、その動作保証温度が、通常５℃〜５５℃であるため、製品化にあたっては、動作温度対策を講ずる必要がある。
例えば、高温に対する対策としては、温度センサで機器内部の温度を監視し、所定以上に温度が上昇したらファンを動作させて空冷によって、保証動作温度を保つように調整するように構成している。
また、低温に対する対策としては、例えば、特開平１０−２４１２５６号公報に示されたものがある。
すなわち、この文献に記載された技術は、ディスク装置（ディスクユニット）において、電源投入時から所定時間経過後においても、ディスク装置が立ち上がらない場合に、電源のオンオフを繰り返すことにより、装置内部のモーター、アナログ回路等の部品を発熱させその熱で機器内部の温度をディスク装置の動作可能温度まで上昇させるようにしたものである。
【０００４】
このディスク装置は、電源投入からディスク装置が動作可能となるまでの時間に対する考慮はされていない。
ＨＤＤを搭載したテレビジョン受像機では、ＨＤＤは放送番組を記録するための記録媒体として主に使用されるものであり、ＨＤＤの動作可能状態を時間で管理する必要がある。
ユーザがテレビジョン受像機に対して、将来放送される所望の番組の録画予約を行なった場合、予約後にテレビジョン受像機での放送番組の視聴を行なわなければ、テレビジョン受像機は待機状態になり、主電源はオフ状態となる。この状態では、ＣＰＵ（Ｃｅｎｔｒａｌ　Ｐｒｏｃｅｓｓｉｎｇ　Ｕｎｉｔ）等の一部の部品を除いて大部分の回路、部品への通電が遮断されるため、外気温度が低下すれば、機器内部の温度も低下し、録画開始時刻になってＨＤＤを起動しようとしても、動作保証温度外となっていて起動しないということが起る可能性がある。
【０００５】
以上のように、従来、ＨＤＤを動作保証温度内で動作させるための対策には、時間という概念がなく、放送番組をＨＤＤに録画しようとする機器においては、満足できるものとはいえなかった。
【０００６】
【発明が解決しようとする課題】
以上のように、従来、ＨＤＤを搭載した機器の動作温度環境対策は、ＨＤＤの動作を時間で管理しようとする場合には、満足できる提案がなされていなかった。
本発明は、以上の問題に対処してなされたものであって、ＨＤＤを必要な時間に確実に動作させることの可能なハードディスク搭載機器の起動装置及び起動方法を提供することを目的とする。
【０００７】
【課題を解決するための手段】
本発明の、記録媒体搭載機器の起動制御装置は、放送信号を受信して記録媒体に記録する記録手段と、前記放送信号の所定の番組を前記記録媒体に記録するための録画予約を行なう録画予約手段とを備えた機器における前記記録媒体の起動を制御する制御装置において、前記機器内の温度を検出する温度検出手段と、前記機器内に設けられた発熱手段と、前記録画予約された番組の放送開始時刻と前記温度検出手段で検出された温度情報に基づいて、前記放送開始時刻に前記記録媒体が正常に動作する温度環境を確保するために前記発熱手段を動作させる制御手段と、を具備したことを特徴とする。
【０００８】
本発明によれば、予約録画開始時刻に、記録媒体が正常に動作する温度環境になるため、確実な録画を行なわせることができる。
また、本発明の記録媒体搭載機器の起動制御装置は、デジタル放送信号を受信して記録媒体に記録する記録手段と、前記放送信号の所定の番組を前記記録媒体に記録するための録画予約を行なう録画予約手段とを備えた機器の前記記録媒体の起動を制御する装置であって、前記デジタル放送に多重伝送される地域情報から地域気温データを取得する手段と、前記機器内の温度を検出する温度検出手段と、前記機器内に設けられた発熱手段と、前記録画予約された番組の放送開始時刻と前記取得された地域気温データに基づいて、前記放送開始時刻に前記記録媒体が正常に動作する温度環境を確保するように前記発熱手段の動作を制御する制御手段とを具備したことを特徴とする。
【０００９】
本発明によれば、予約録画開始時刻に、記録媒体が正常に動作する温度環境になるため、確実な録画を行なわせることができる。
さらに、本発明の記録媒体搭載機器の起動制御装置は、記録媒体搭載機器の起動制御装置において、前記機器内部の温度を検出する温度手段と、前記機器内部に設けられた発熱手段と、前記温度検出手段によって検出された温度が前記記録媒体の動作に適正な温度であるか否か判別する手段と、前記判別の結果、適正な温度でない場合に、前記発熱手段を駆動して前記前記機器内部の温度を上昇させると共に、前記判別手段によって前記記録媒体の動作に適した温度になったことが判別された際に前記記録媒体を含む機器内部回路をリセットしてから再立ち上げを行なう制御手段とを具備したことを特徴とする。
【００１０】
本発明によれば、記録媒体が適正に動作する環境になった際に、機器をリセットしてから記録媒体を起動するようにしたので、確実な動作が期待できる。
本発明の、記録媒体搭載機器の起動制御装置は、記録媒体搭載機器の起動制御装置において、前記機器内部の温度を検出する温度手段と、前記機器内部に設けられた発熱手段と、前記温度検出手段によって検出された温度が前記記録媒体の動作に適正な温度であるか否か判別する手段と、前記判別の結果、適正な温度でない場合に、前記発熱手段を駆動して前記前記機器内部の温度を上昇させると共に、前記判別手段によって前記記録媒体の動作に適した温度になったことが判別された際に前記記録媒体を起動する制御手段とを具備したことを特徴とする。
【００１１】
本発明によれば、記録媒体が適正に動作する環境になってから、記録媒体を起動するものであるため、確実な動作が期待できる。
本発明の記録媒体搭載機器の起動制御方法は、放送信号を受信して記録媒体に記録する記録手段と、前記放送信号の所定の番組を前記記録媒体に記録するための録画予約を行なう録画予約手段とを備えた機器における前記記録媒体の起動を制御する制御方法において、前記機器内の温度を検出するステップと、前記録画予約された番組の放送開始時刻と前記温度検出手段で検出された温度情報に基づいて、前記放送開始時刻に前記記録媒体が正常に動作する温度環境を確保するように前記発熱手段を動作させるステップとを具備したことを特徴とする。
【００１２】
本発明によれば、予約録画開始時刻に記録媒体が正常に動作する温度環境になるため、確実な録画を行なわせることができる。
また、本発明の記録媒体搭載機器の起動制御方法は、デジタル放送信号を受信して記録媒体に記録する記録手段と、前記放送信号の所定の番組を前記記録媒体に記録するための録画予約を行なう録画予約手段とを備えた機器の前記記録媒体の起動を制御する方法であって、前記デジタル放送に多重伝送される地域情報から地域気温データを取得するステップと、前記機器内の温度を検出するステップと、前記録画予約された番組の放送開始時刻と前記取得された地域気温データに基づいて、前記放送開始時刻に前記記録媒体が正常に動作する温度環境を確保するように前記発熱手段を動作させるステップとを具備したことを特徴とする。
【００１３】
本発明によれば、予約録画開始時刻に記録媒体が正常に動作する温度環境になるため、確実な録画を行なわせることができる。
さらにまた、本発明の本発明の記録媒体搭載機器の起動制御方法は、記録媒体搭載機器の起動制御方法において、前記機器内部の温度を検出するステップと、前記温度検出手段によって検出された温度が前記記録媒体を動作させるに適正な温度であるか否か判別するステップと、前記判別の結果、適正な温度でない場合に、前記機器内に設けられた発熱手段を駆動して前記前記機器内部の温度を上昇させると共に、前記記録媒体の動作に適した温度になったことが判別された際に前記記録媒体を含む機器内部回路をリセットしてから再立ち上げを行なうステップとを具備したことを特徴とする。
【００１４】
本発明によれば、本発明によれば、記録媒体が適正に動作する環境になった際に、機器をリセットしてから記録媒体を起動するようにしたので、確実な動作が期待できる。
さらにまた、本発明の本発明の記録媒体搭載機器の起動制御方法は、記録媒体搭載機器の起動制御方法において、前記機器内部の温度を検出するステップと、前記検出された温度が前記記録媒体を動作させるに適正な温度であるか否か判別するステップと、前記判別の結果、適正な温度でない場合に、前記機器内に設けられた発熱手段を駆動して前記前記機器内部の温度を上昇させると共に、前記記録媒体の動作に適した温度になったことが判別された際に前記記録媒体を起動するステップとを具備したことを特徴とする。
【００１５】
本発明によれば、記録媒体が適正に動作する環境になってから、記録媒体を起動するものであるため、確実な動作が期待できる。
【００１６】
【発明の実施の形態】
以下、図面を参照しながら本発明の実施の形態を詳細に説明する。
図１は、本発明の記録媒体を搭載した機器１０の起動装置の一実施の形態を示すブロック図である。記録媒体としてＨＤＤが搭載され、機器としてはデジタルテレビジョン受信機（セットトップボックス（ＳＴＢ））である。
入力端子１１には、アンテナからの信号が供給され、供給された信号はチューナを主体に構成される受信／復調部１２に供給され、ここで所定のチャンネルの選局と、復調が行なわれてトランスポートストリーム（ＴＳ）の形式の信号として出力される。受信／復調部１２の出力はデマルチプレクサ１３において視聴したい放送番組の映像データ及び音声データが抽出されてデコーダ１４に供給され、ここでＭＰＥＧ２の復号が行なわれ、復号された映像信号は画像処理部１５に供給される。画像処理部１５では、必要に応じて映像信号に記号等のグラフィックを結合してＮＴＳＣ（Ｎａｔｉｏｎａｌ　Ｔｅｌｅｖｉｓｉｏｎ　Ｓｔａｎｄａｒｄｓ　Ｃｏｍｍｉｔｔｅｅ）エンコーダ１６に導出する。
【００１７】
また、デコーダ１４で復号された音声信号は、直接ＮＴＳＣエンコーダ１６に供給される。
ＮＴＣＳエンコーダ１６では、供給された映像信号及び音声信号に基づいてＮＴＳＣ方式のテレビジョン信号を構築して出力端子１７を介して外部に出力する。
図示しないテレビジョンモニタを出力端子１７に接続することによって、出力端子１７に出力されているテレビジョン信号の視聴を行なうことができる。
機器１０は、ＨＤＤ１８を備え、このＨＤＤ１８にデマルチプレクサ１３から出力されるストリームを記録することが可能である。
さらに、機器１０は、ＨＤＤ１８の記録再生動作を含む、機器１０の動作、機能を制御するためのＣＰＵ（Ｃｅｎｔｒａｌ　Ｐｒｏｃｅｓｓｉｎｇ　Ｕｎｉｔ）１９を備えている。ＣＰＵ１９には、ＨＤＤの他、不揮発性メモリ２０、機器内部に空冷するためのファン２１が接続されている他、ユーザが機器１０の機能設定を行ったり、動作モードを設定するための入力部２２が接続されている。
【００１８】
入力部２２は、図示しないリモコンハンドユニットからのリモコン信号を受けて、それをＣＰＵ１９に送るリモコン信号受信部として構成することでができるが、機器１０の筐体前面に設けられた複数のスイッチであってもよい。
さらにＣＰＵ１９には、本発明の特徴とするところの起動制御手段２３が接続されている。
機器１０の電源が商用電源プラグ２４を介して供給され、電源回路２５で必要な直流電圧に変換され、スタンバイ電源回路２６とメイン電源回路２７に供給される。
スタンバイ電源回路２６は、プラグ２４から商用電源が供給されている限り、所定の電圧を出力する。スタンバイ電源回路２６からは、ＣＰＵ１９に電源が供給されると共に、起動制御手段２３に電源が供給される。
メイン電源回路２７は、機器１０の主要部に電源を供給するもので、入力部２２からの信号によりＣＰＵ１９を介して供給されるオンオフ制御信号に基づいて動作が制御され、電源を供給するか、遮断するかのいずれかに切換えられる。
放送番組の録画予約は、メイン電源回路２７がオンしている状態で、入力部２２から予約データを入力することに行われる。すなわち、録画したい番組の放送チャンネル番号、放送日、放送開始時間、放送終了時間等のデータを入力部２２から入力してＣＰＵ１９を介して不揮発性メモリ２０に記憶させる。録画予約が完了したら、ＣＰＵ１９は、メイン電源回路２７をオフにして機器１０を待機状態に設定する。
【００１９】
不揮発性メモリ２０に記憶された録画予約情報は、ＣＰＵ１９内の時刻情報と比較され、予約した番組の放送開始時刻になったら、ＣＰＵ１９は、メイン電源回路２７をオンにして受信部１２、デマルチプレクサ１３、ＨＤＤ１８を起動して、予約した放送番組のストリームのＨＤＤ１８への書込みを開始し、放送終了時刻時刻までそれを継続する。
【００２０】
放送終了時刻になったら、ＣＰＵ１９は録画動作を停止させ、再びメイン電源回路２７をオフして待機状態を設定する。
以上のように、予約録画は、メイン電源がオフしている予約待機状態から予約時刻で放送信号受信手段及びＨＤＤが起動するという動作によって実行されるものであり、起動時にＨＤＤの動作環境が適当でない場合には、ＨＤＤが動作せず、録画予約を実行できないという問題が発生する。
【００２１】
本発明では、起動制御手段２３を備えることでその問題を解決している。
すなわち、起動制御手段２３は、機器１０内部の温度を測定する温度センサ３１と、温度センサ３１からの温度情報に基づいて、メイン電源回路２７をオンしたときから、機器１０内部の温度がＨＤＤの動作環境として最適温度に到達するまでの時間を算出する算出部３２と、時間情報を出力するタイマ３３を備えて構成されている。温度センサ３１の測定結果は、最適温度到達時間算出部３２とＣＰＵ１９に供給され、最適温度到達時間算出部３２の算出結果はＣＰＵ１９に与えられる。ＣＰＵ１９には、タイマ３３が接続され時間情報をＣＰＵ１９に与えている。タイマ３３は通常、ＣＰＵ１９が機能として備えているが、ここでは説明の便宜上、ＣＰＵ１９外部に設けたものとして説明する。
【００２２】
起動制御手段２３は、予約録画開始時刻に機器１０内の温度がＨＤＤの動作可能温度範囲を逸脱する虞があるか否かを判別し、虞がある場合にＣＰＵ１９によってメイン電源回路２７をオンさせて、各回路、部品への通電によって熱を発生させて、機器１０内温度を上昇させることで最適動作温度範囲を保たせるように構成している。また、一旦機器１０内の温度を最適動作温度内にした後には、ファン２１によって温度が最適動作温度範囲以上に高くならないように制御している。起動制御手段２３は次のように動作する。
【００２３】
録画予約データの入力が完了して、待機状態になると、最適温度到達時間算出部３２は、温度センサ３１から与えられる温度情報を監視すると共に、ＣＰＵ１９を介して不揮発性メモリ２０から録画予約情報を読み込み、機器１０内部温度の推移と、録画開始時刻とに基づき、録画開始時刻におけるＨＤＤの動作環境温度を予測する。そしてＨＤＤの最適温度範囲を既に逸脱しているかあるいは録画開始時刻までに逸脱する虞があると予測した場合、最適温度範囲内に保つためにどのようなタイミングで機器内部温度を調整したらよいか算出してこれをＣＰＵ１９に導出する。
【００２４】
ＣＰＵ１９は、最適温度到達算出部３２からの情報に基づき、メイン電源をオンさせる時刻を設定し、その時刻になったことをタイマ３３に基づき特定してそのタイミングでメイン電源回路２７をオンさせる。それによって予約録画動作中の機器１０内温度を最適温度範囲に保つ。メイン電源回路２７がオンしている間では、ファン２１を起動して、機器１０内部の温度が必要以上に上昇するのを防ぐ。
【００２５】
以上の動作を、図２に示すフローチャートに基づき説明する。
図２において、ステップ２ａで機器１０内部温度を監視し、ステップ２ｂでＨＤＤの動作最適温度到達時間を録画開始時刻から逆算し、算出した時間を設定する。次にステップ２ｃで、時間の監視を行ない、ステップ２ｄで監視している時間が設定した時間に到達したか否かが判別され、未到達の場合、時間の監視処理を継続する。
【００２６】
設定した時間がきたら、ステップ２ｅでメイン電源回路２７をオンさせて暖気運転（アイドリング）モードをスタートさせ、さらにステップ２ｆで時間の監視を行って、ステップ２ｇで録画開始時刻になったか否の判断がなされ、録画開始時刻になったら次のステップ２ｈでファンを駆動し、機器１０内部の温度をＨＤＤ１８の動作保証範囲内に保つように調整する。
【００２７】
上記説明した実施の形態においては、予約録画が行なわれる場合に、録画開始時刻に合せて、機器１０内部の温度をＨＤＤ１８の動作保証温度に設定することができるため、予約録画を確実に実行することができるものである。
図３は、この発明の装置の第２の実施の形態を示すブロック図である。
図３において、図１と同一個所は同じ符号を付して詳細な説明は省略する。
第２の実施の形態においては、放送信号に多重して伝送される地域の天気情報から最低気温情報を得て、それに基づいてメイン電源回路２７を制御して確実な予約録画が実行できるように構成したものである。
すなわち、現在実施されているデジタル衛星放送では、番組を構成するデータの他に、付加情報の一つとして日本の各地域の天気情報（気候、最低気温、最高気温等）を多重して伝送している。この天気情報は、機器１０が設置されている地域の郵便番号あるいは市外電話局番号に基づき取得して表示することができる。
【００２８】
図３に示す機器４０において、起動制御手段４１に、地域データ取得部４２が設けられており、入力部２２からユーザによって入力されて不揮発性メモリ２０に記憶された郵便番号あるいは市外電話局番号に基づいて、デマルチプレクサ１３で分離した地域情報から気温に関するデータを抽出してこれを記憶する。
【００２９】
最適温度到達時間算出部３２は、地域データ取得部４２に記憶された最低気温データと予約録画開始時刻とに基づいて、録画開始時刻に機器４０内を最適温度にするにはどのタイミングでメイン電源回路２７をオン（アイドリング）すればよいかを算出してＣＰＵ１９に供給する。ＣＰＵ１９は、最適温度到達時間算出部３２からの出力に基づくタイミングでアイドリングを開始させる。
【００３０】
図３に示す実施の形態の動作を、図４に示すフローチャートでさらに説明する。
ステップ４ａで地域データを利用して、天気情報コンテンツから地域の最低気温データを取り込み、ステップ４ｂでＨＤＤの動作最適温度到達時間を録画開始時刻から逆算し、算出した時間を設定する。次にステップ４ｃで時間を監視して、ステップ４ｄで設定した時間に到達したか否かの判断がなされ、設定した時間に到達したらステップ４ｅでメイン電源回路２７をオンさせて暖気運転（アイドリング）モードをスタートさせ、さらにステップ４ｆで時間の監視を行って、ステップ４ｇで録画開始時刻になったか否の判断がなされ、録画開始時刻になったら次のステップ４ｈでファンを駆動し、機器４０内部の温度をＨＤＤ１８の動作保証範囲内に保つように調整する。
【００３１】
以上説明した第２の実施の形態では、デジタル衛星放送から取得した地域の天気情報に基づいて、機器４０内部の温度を制御するようにしたものであり、ＨＤＤ１８を予約録画開始時刻に合せて、確実に起動させることができる。
図５は、本発明の第３の実施の形態を示すブロック図であり、図１のブロックと同一部分に同一符号を付して詳細な説明は省略する。
図５の実施の形態においては、低温環境下でＨＤＤ１８を使用する場合に、機器５０内の温度を監視して、動作保証温度範囲内に達するまで、アイドリングを実施し、動作保証温度に達したら、機器５０のＨＤＤ１８を含む主要回路部分をリセットしてから、再びメイン電源回路２７をオンして再立ち上げを行なうように構成している。
【００３２】
すなわち、図５において、リセット部５１を備えたことを特徴としている。このリセット部５１は、機能ブロックとしてＣＰＵ１９の外部に出してあるが、実際にはＣＰＵ１９内に含まれるものである。
温度センサ３１によって、機器５０内部の温度が計測され、そのデータがＣＰＵ１９に供給されて温度監視が実行される。計測された温度がＨＤＤ１８の動作保証温度範囲にないと、ＣＰＵ１９は、メイン電源回路２７をオンさせてアイドリングを開始させる。この際に、ファン２１は強制的に動作を停止させておく。
【００３３】
機器５０内部の温度がＨＤＤ１８の動作保証温度に達したら、ＣＰＵ１９はリセット部５１に信号を送り、リセット部５１を動作させる。リセット部５１は、メイン電源回路２７を所定期間電源供給を停止してから再び通電を開始するように制御する。この結果、機器５０のＨＤＤ１８を含む主要回路部分がリセットされる。
【００３４】
図６は、図５の実施の形態の動作を説明するためのフローチャートである。
ステップ６ａで、機器５０内部の温度が監視され、ステップ６ｂで温度がＨＤＤ１８の動作保証温度であるか否かが判断され、動作保証温度でない場合には、ステップ６ｃでメイン電源回路２７をオンしてアイドリングを開始する。
次いで、ステップ６ｄで引き続き機器５０内部の温度が監視され、ステップ６ｅで動作保証温度に達したことが判定されたら、ステップ６ｆで機器５０をハードリセットし、ステップ６ｇでファンを駆動して機器内温度を動作保証範囲内に保つように制御する。ステップ６ｂで既に動作保証温度であった場合には、ステップ６ｇでファンを駆動して機器内温度を動作保証範囲内に保つように制御する。
【００３５】
第３の実施の形態においては、機器５０の内部温度がＨＤＤ１８の動作保証温度にない場合、アイドリングを実施し、動作保証温度になったら、機器５０をハードリセットしてから改めて立ち上げるようにしたため確実な動作が期待できるものである。
【００３６】
図７は、本発明の第４の実施の形態を示すブロック図である。
図７において、図１と同じ構成部分に同じ番号を付して詳細な説明は省略する。
図７の実施の形態は、機器７０内の温度を監視して、ＨＤＤ１８の動作保証温度にない場合、メイン電源回路２７をオンさせてアイドリングを開始し、機器７０内の温度が動作保証温度になったら、ＨＤＤ１８を起動させるように構成されている。
【００３７】
すなわち、温度センサ３１によって、機器７０内部の温度が計測され、そのデータがＣＰＵ１９に供給されて温度監視が実行される。計測された温度がＨＤＤ１８の動作保証温度範囲にないと、ＣＰＵ１９は、メイン電源回路２７をオンさせてアイドリングを開始させる。この際に、ファン２１は強制的に動作を停止させておく。
【００３８】
機器７０内部の温度がＨＤＤ１８の動作保証温度に達したら、ＣＰＵ１９はＨＤＤ１８を起動させる。
図７の実施の形態の動作を図８のフローチャートを参照して説明する。
ステップ８ａで機器７０内の温度が監視され、ステップ８ｂで温度がＨＤＤ１８の動作保証温度であるか否かが判断され、動作保証温度でない場合には、ステップ８ｃでメイン電源回路２７をオンしてアイドリングを開始する。
次いで、ステップ８ｄで引き続き機器７０内部の温度が監視され、ステップ８ｅで動作保証温度に達したことが判定されたら、ステップ８ｆでＨＤＤ１８を起動する。次いで、ステップ８ｇでファンを駆動して機器内温度を動作保証範囲内に保つように制御する。ステップ８ｂで既に動作保証温度であった場合には、ステップ６ｇでファンを駆動して機器内温度を動作保証範囲内に保つように制御する。
【００３９】
図７に示す実施の形態では、ＨＤＤ１８の起動を機器７０の内部温度がＨＤＤ１８の動作保証温度である場合にＨＤＤ１８を起動するものであるため、確実な動作が期待できる。
図５に示す実施の形態と、図７に示す実施の形態は、それぞれ単独で実施することは可能であるが、図１及び図３の実施の形態と組合わせることにより、図１及び図３の実施の形態の動作をより確実なものにすることができるものである。
なお、以上説明した実施の形態では、記録媒体としてＨＤＤを用いたものとしたが、記録媒体はＨＤＤに限るものではなく、本発明は、動作温度環境に制限を受ける記録媒体を搭載した機器全般に適用できる。
以上のように本発明によれば、予約録画開始時刻に記録媒体が正常に動作する温度環境になるように、前もってアイドリングを行なうように構成したので確実な録画を行なわせることができる。また、機器内の温度を監視して、記録媒体が正常に動作する温度環境にない場合には、アイドリングによって機器内温度を上昇させるようにし、動作保証温度になったらリセット後、あるいは即記録媒体を使うようにしたので記録媒体を確実に動作させることができるものである。
【００４０】
【発明の効果】
本発明によれば、予約録画開始時刻と、機器内温度情報から、機器のアイドリングタイミングを算出して、録画開始時刻に間に合うように機器化内部の温度を調整するようにしたため、予約録画が確実に実行されるようになるものである。また、機器内部の温度が記録媒体の動作保証温度にない場合には、アイドリングで温度を上昇させるようにし、動作保証温度になってから記録媒体を使うようにしたため、確実に正常な動作を行なわせることができるものである。
【図面の簡単な説明】
【図１】本発明に係る、記録媒体を搭載した機器の起動制御装置の一実施の形態を示すブロック図。
【図２】図１に示す装置の動作を説明するためのフローチャート。
【図３】本発明に係る、記録媒体を搭載した機器の起動制御装置の他の実施の形態を示すブロック図。
【図４】図３に示す装置の動作を説明するためのフローチャート。
【図５】本発明に係る、記録媒体を搭載した機器の起動制御装置のさらに他の実施の形態を示すブロック図。
【図６】図５に示す装置の動作を説明するためのフローチャート。
【図７】本発明に係る、記録媒体を搭載した機器の起動制御装置のさらに他の実施の形態を示すブロック図。
【図８】図７に示す装置の動作を説明するためのフローチャート。
【符号の説明】
１１…入力端子
１２…受信／復調部
１３…デマルチプレクサ
１４…デコーダ
１５…画像処理部
１６…ＮＴＳＣエンコーダ
１７…出力端子
１８…ＨＤＤ
１９…ＣＰＵ
２０…不揮発性メモリ
２１…ファン
２２…入力部
２３…起動制御手段
２４…電源プラグ
２５…電源回路
２７…メイン電源回路
【図１】
2004005812.tif 000003
【図２】
2004005812.tif 000004
【図３】
2004005812.tif 000005
【図４】
2004005812.tif 000006
【図５】
2004005812.tif 000007
【図６】
2004005812.tif 000008
【図７】
2004005812.tif 000009
【図８】
2004005812.tif 000010